(57)【特許請求の範囲】
【請求項１】
第一モーター部材、銃ヘッド部材、及び、銃芯部材を含み、
前記第一モーター部材は、第一ハウジング、第一ステーター部材、第一ローター部材、及び、中心軸を含み、前記第一ハウジングは、内部に空間を有し、両端にそれぞれ、第一端蓋及び第二端蓋が設けられ、前記第一ステーター部材は、前記空間に設置され、その第一端が前記第二端蓋に接続され、前記第一ローター部材は、同軸で前記第一ステーター部材の外部に周設され、両者間に隙間を有し、前記第一ローター部材は、軸受けを介して、前記第一ハウジングに回転可能に接続され、通電されていると、前記第一ローター部材が前記第一ステーター部材に対して回転し、前記中心軸は、その第一端が前記第一ステーター部材の第二端に接続され、
前記銃ヘッド部材は、両方とも構造が筒状とされる第一銃ヘッド及び第二銃ヘッドを含み、前記第一銃ヘッドの第一端は、前記第一端蓋を通過して前記第一ステーター部材の第二端に接続され、前記第二銃ヘッドは、同軸で前記第一銃ヘッドの外部に周設され、前記第二銃ヘッドは、第一端が前記第一ローター部材にねじ接続され、前記第一銃ヘッドには、前記第二銃ヘッドの回転を防止するための第一回転防止装置が設けられ、前記第一ローター部材が回転する時に、前記第二銃ヘッドが前記第一銃ヘッドの軸方向に変位するようにし、前記第一銃ヘッドの第二端及び前記第二銃ヘッドの第二端には、共に、テーパ状の広がり口が設けられ、前記第二端蓋及び前記第一ステーター部材には、共に、水が流れる穴が設けられ、水が前記第二端蓋及び前記第一ステーター部材を通過して前記銃ヘッド部材から噴出するようにし、
前記銃芯部材は、前記中心軸に設置され、前記銃ヘッド部材との嵌合により、水が前記銃ヘッド部材と前記銃芯部材との間の隙間から放水するようにし、
前記銃芯部材は、銃芯、第二モーター部材、ばね及び転動スリーブを含み、前記第二モーター部材は、第二ステーター部材及び第二ローター部材を含み、前記第二ステーター部材は、前記中心軸の第二端に固定して設置され、前記第二ローター部材は、同軸で前記第二ステーター部材の外部に周設され、軸受けを介して、前記中心軸に回転可能に接続され、通電されていると、前記第二ローター部材が前記第二ステーター部材に対して回転し、前記転動スリーブは、前記第二ローター部材の外部に周設され、前記第二ローター部材にねじ接続され、前記銃芯全体は、前記中心軸に周設され、前記銃芯の第一端は、前記転動スリーブの外部に周設され、前記銃芯には、前記転動スリーブの回転を防止するための第二回転防止装置が設けられ、前記第二ローター部材が回転すると、前記転動スリーブは、前記銃芯が前記中心軸に変位するように連動し、前記ばねは、前記銃芯の内部に設置され、その一端が前記第二モーター部材に当接され、他端が前記銃芯に当接され、前記銃芯の外周壁には、前記第一銃ヘッドのテーパ状広がり口と嵌合するための弧形状嵌合部が設置される、ことを特徴とする、消火用放水銃。
【請求項２】
前記第二ステーター部材は、前記中心軸に周設されるステーター固定環及び前記ステーター固定環に設置される第二コイルを含み、前記第二ローター部材は、第二ハウジング、及び、前記第二ハウジング内に設置され前記第二コイルに対向して設置される第二永久磁石部を含み、前記第二ハウジングは、両端に、それぞれ、左端蓋及び右端蓋が設けられ、前記左端蓋及び前記右端蓋は、それぞれ、軸受けを介して、前記中心軸に取り付けられる、ことを特徴とする、請求項１に記載の消火用放水銃。
【請求項３】
前記銃芯は、第一端に、中心穴が設けられ、前記銃芯の第一端が前記中心穴を通過して前記転動スリーブの外部に周設され、前記中心穴内には、阻止蓋が設けられ、前記阻止蓋は、前記中心軸に周設され、前記阻止蓋は、一端が前記第二モーター部材に当接され、他端が前記ばねに当接され、前記阻止蓋と前記中心穴との間に密封リングが設けられる、ことを特徴とする、請求項１に記載の消火用放水銃。
【請求項４】
前記第二回転防止装置は、前記銃芯に設置される第二位置付けネジを含み、前記第二位置付けネジは、前記銃芯にねじ接続され、前記転動スリーブの周側壁には、前記第二位置付けネジが螺合するための位置付け穴が設けられ、前記第二位置付けネジは、前記銃芯の側壁を通過して前記位置付け穴内に螺合される、ことを特徴とする、請求項１に記載の消火用放水銃。
【請求項５】
前記第一ステーター部材は、前記第二端蓋にねじ接続される流量調整手段及び流量調整手段の外部に取り付けられる第一コイルを含み、前記流量調整手段には、水が流れる水流通路が設けられ、前記第一ローター部材は、前記第一ハウジングに軸受けを介して回転可能に接続されるローター固定環、及び、前記ローター固定環に設置され前記第一コイルに対向して設置される第一永久磁石部を含む、ことを特徴とする、請求項１に記載の消火用放水銃。
【発明の詳細な説明】
【技術分野】
【０００１】
本発明は、消火用機器の技術分野に関し、特に、消火用放水銃に関する。
【背景技術】
【０００２】
消火用放水銃は、圧力を持つ水を、エネルギーの転換により、高速で銃ヘッドの吐水口から噴出させ、水流を形成することにより、一定距離離れた場所の火災を消火する消火用装置である。消火用放水銃は、柱状と霧状という二つの噴出状態を主に有し、柱状の形態が長距離の消火に用いられる一方、霧状の形態が災害をそれ以上に拡大させないように離隔することに用いられ、災害の現場に従って、適正な形態を選択するとよい。しかしながら、従来の消火用放水銃は、銃ヘッドにより噴出の流れを切り替える操作性が良くなく、切り替えが不便となってしまう。従って、従来技術においては、消火用放水銃が噴出流れの形態を切り替えることが不便となってしまうという問題を解決することは、当業者にとって、急務となってきた。
【発明の概要】
【発明が解決しようとする課題】
【０００３】
本発明は、上記の技術的課題を解決するために、噴出流れの形態を便宜に切り替える消火用放水銃を提供する。
【課題を解決するための手段】
【０００４】
上記の目的を達成するためには、本発明が以下の技術的手段を提供する。
【０００５】
本発明の一態様によれば、第一モーター部材、銃ヘッド部材、及び、銃芯部材を含む消火用放水銃が提供される。
前記第一モーター部材は、第一ハウジング、第一ステーター部材、第一ローター部材、及び、中心軸を含み、前記第一ハウジングは、内部に空間を有し、両端にそれぞれ、第一端蓋及び第二端蓋が設けられ、前記第一ステーター部材は、前記空間に設置され、その第一端が前記第二端蓋に接続され、前記第一ローター部材は、同軸で前記第一ステーター部材の外部に周設され、両者間に隙間を有し、前記第一ローター部材は、軸受けを介して、前記第一ハウジングに回転可能に接続され、通電されていると、前記第一ローター部材が前記第一ステーター部材に対して回転し、前記中心軸は、その第一端が前記第一ステーター部材の第二端に接続される。
前記銃ヘッド部材は、両方とも構造が筒状とされる第一銃ヘッド及び第二銃ヘッドを含み、前記第一銃ヘッドの第一端が前記第一端蓋を通過して前記第一ステーター部材の第二端に接続され、前記第二銃ヘッドは、同軸で前記第一銃ヘッドの外部に周設され、前記第二銃ヘッドは、第一端が前記第一ローター部材にねじ接続され、前記第一銃ヘッドには、前記第二銃ヘッドの回転を防止するための第一回転防止装置が設けられ、前記第一ローター部材が回転する時に、前記第二銃ヘッドが前記第一銃ヘッドの軸方向に変位するようにし、前記第一銃ヘッドの第二端及び前記第二銃ヘッドの第二端には、共に、テーパ状広がり口が設けられ、前記第二端蓋及び前記第一ステーター部材には、共に、水が流れる穴が設けられ、水が前記第二端蓋及び前記第一ステーター部材を通過して前記銃ヘッド部材から噴出するようにする。
前記銃芯部材は、前記中心軸に設置され、前記銃ヘッド部材との嵌合により、水が前記銃ヘッド部材と前記銃芯部材との間の隙間から放水するようにする。
【０００６】
さらに、前記銃芯部材は、銃芯、第二モーター部材、ばね及び転動スリーブを含み、前記第二モーター部材は、第二ステーター部材及び第二ローター部材を含み、前記第二ステーター部材は、前記中心軸の第二端に固定して設置され、前記第二ローター部材は、同軸で前記第二ステーター部材の外部に周設され、軸受けを介して、前記中心軸に回転可能に接続され、通電されていると、前記第二ローター部材が前記第二ステーター部材に対して回転し、前記転動スリーブは、前記第二ローター部材の外部に周設され、前記第二ローター部材にねじ接続され、前記銃芯全体は、前記中心軸に周設され、前記銃芯の第一端は、前記転動スリーブの外部に周設され、前記銃芯には、前記転動スリーブの回転を防止するための第二回転防止装置が設けられ、前記第二ローター部材が回転すると、前記転動スリーブは、前記銃芯が前記中心軸に変位するように連動し、前記ばねは、前記銃芯の内部に設置され、その一端が前記第二モーター部材に当接され、他端が前記銃芯に当接され、前記銃芯の外周壁には、前記第一銃ヘッドのテーパ状広がり口と嵌合するための弧形状嵌合部が設置されてもよい。
【０００７】
さらに、前記第二ステーター部材は、前記中心軸に周設されるステーター固定環及び前記ステーター固定環に設置される第二コイルを含み、前記第二ローター部材は、第二ハウジング、及び、前記第二ハウジング内に設置され、前記第二コイルと対応して設置される第二永久磁石部を含み、前記第二ハウジングは、両端に、それぞれ、左端蓋及び右端蓋が設けられ、前記左端蓋及び前記右端蓋は、それぞれ、軸受けを介して、前記中心軸に取り付けられてもよい。
【０００８】
さらに、前記銃芯は、第一端に、中心穴が設けられ、前記銃芯の第一端が前記中心穴を通過して前記転動スリーブの外部に周設され、前記中心穴内には、阻止蓋が設けられ、前記阻止蓋は、前記中心軸に周設され、前記阻止蓋は、一端が前記第二モーター部材に当接され、他端が前記ばねに当接され、前記阻止蓋と前記中心穴との間に密封リングが設けられてもよい。
【０００９】
さらに、前記第二回転防止装置は、前記銃芯に設置される第二位置付けネジを含み、前記第二位置付けネジは、前記銃芯にねじ接続され、前記転動スリーブの周側壁には、前記第二位置付けネジが螺合するための位置付け穴が設けられ、前記第二位置付けネジは、前記銃芯の側壁を通過して前記位置付け穴内に螺合されてもよい。
【００１０】
さらに、前記第一ステーター部材は、前記第二端蓋にねじ接続される流量調整手段及び流量調整手段の外部に取り付けられる第一コイルを含み、前記流量調整手段には、水が流れる水流通路が設けられ、前記第一ローターは、前記第一ハウジングに軸受けを介して回転可能に接続されるローター固定環、及び、前記ローター固定環に設置され前記第一コイルに対向して設置される第一永久磁石部を含んでもよい。
【００１１】
さらに、前記第二銃ヘッドの第二端は、外円周側壁に雄ねじが設けられ、前記第一端蓋には、前記ローター固定環が延出するための退避穴が設けられ、前記ローター固定環における前記第一端蓋に近い一端には、前記雄ねじと嵌合する雌ねじが設けられ、前記第二銃ヘッドは、前記ローター固定環内部に螺合されてもよい。さらに、前記ローター固定環は、前記退避穴との間に密封リングが設けられてもよい。
【００１２】
さらに、前記第一銃ヘッドは、接続スリーブを介して、前記流量調整手段に接続され、前記接続スリーブは、一端が前記第一銃ヘッドにねじ接続され、他端が前記流量調整手段にねじ接続され、前記接続スリーブと前記ローター固定環との間に密封リングが設けられ、前記第一銃ヘッドと前記第二銃ヘッドとの間に密封リングが設けられてもよい。
【００１３】
さらに、前記第一回転防止装置は、前記第一銃ヘッドの外円周側壁にねじ接続される第一位置付けネジを含み、前記第二銃ヘッドには、前記第一位置付けネジが螺合して滑られるための滑り溝が設けられ、前記滑り溝は、前記第二銃ヘッドの軸方向に延びられる。
【発明の効果】
【００１４】
本発明は、従来技術に比べると、以下の技術的効果を有している。
本発明に係る消火用放水銃は、第一ハウジング、第一ステーター部材、第一ローター部材、及び、中心軸を含み、第一ハウジングは、内部に空間を有し、両端に、それぞれ、第一端蓋及び第二端蓋が設けられ、第一ステーター部材は、空間に設置され、その第一端が第二端蓋に接続され、第一ローター部材は、同軸で、第一ステーター部材の外部に周設され、両者間に隙間を有し、第一ローター部材は、軸受けを介して、第一ハウジングに回転可能に接続され、通電されていると、第一ローター部材が第一ステーター部材に対して回転し、中心軸の第一端が第一ステーター部材の第二端に接続される、第一モーター部材と、両方とも構造が筒状とされる第一銃ヘッド及び第二銃ヘッドを含み、第一銃ヘッド第一端が第一端蓋を通過して第一ステーター部材第二端に接続され、第二銃ヘッドは、同軸で第一銃ヘッドの外部に周設され、第二銃ヘッドの第一端が第一ローター部材にねじ接続され、第一銃ヘッドには、第二銃ヘッドの回転を防止するための第一回転防止装置が設けられ、第一ローター部材が回転すると、第二銃ヘッドが第一銃ヘッドの軸方向に変位するようにし、第一銃ヘッドの第二端及び第二銃ヘッドの第二端には、共に、テーパ状広がり口が設けられ、第二端蓋及び第一ステーター部材には、共に、水が流れる穴が設けられ、水が第二端蓋及び第一ステーター部材を通過して銃ヘッド部材から噴出するようにする、銃ヘッド部材と、中心軸に設置され銃ヘッド部材との嵌合により、水が銃ヘッド部材と銃芯部材との間の隙間から放水するようにする、銃芯部材とを含む。
【００１５】
消火用放水銃の噴出状態を切り替えることが必要となる場合には、第一モーター部材には電気信号が入力され、第一ローター部材が第一ステーター部材に対して回転することから、第一ローター部材及び第二銃ヘッドがネジ接続されており、第一銃ヘッドにおける第一回転防止装置が第二銃ヘッドの回転を阻止するので、第一ローター部材が回転すると、第二銃ヘッドが第一銃ヘッドの軸方向に変位し、第二銃ヘッドの第二端のテーパ状広がり口と第一銃ヘッドの第二端のテーパ状広がり口との距離を変え、噴出状態を切り替えることになる。
このように設置すると、消火用放水銃の噴出状態への切り替えが電気信号により制御され、切り替えをより簡便かつ迅速に行うことができると共に、消火用放水銃の噴出状態を正確に制御することができ、そして、様々な作動環境のニーズに応じてエネルギーや資源を省く効果が図れる。
【図面の簡単な説明】
【００１６】
本発明の実施例又は従来技術における技術的方案を明確に説明するために、以下に、実施例に必要な図面を簡単に説明する。明らかなことは、以下に説明する図面が、本発明の幾つかの実施例に過ぎず、当業者にとって、創造性を有する労働がない限り、これらの図面に基づいて、他の図面を取得することが可能である。
【図１】本発明の一実施例に係る消火用放水銃の構造模式図の一例である。
【図２】図１に示す消火用放水銃の第二銃ヘッドの構造模式図の一例である。
【図３】図１に示す消火用放水銃の転動スリーブの構造模式図の一例である。
【図４】図１に示す消火用放水銃の流量調整手段の構造模式図の一例である。
【発明を実施するための形態】
【００１７】
以下、本発明の実施例における図面を参照しながら、本発明の実施例における技術的手段を明確に、かつ、十分に説明するが、明らかなことに、説明する実施例は、本発明の実施例の一部に過ぎず、すべての実施例ではない。当業者にとって創造性を有する労働がない限り、本発明に係る実施例に基づいてなされた他のあらゆる実施例は、いずれも、本発明の保護しようとする範囲に含まれている。本発明は、噴出流れの形態を便宜に切り替える消火用放水銃を提供することを目的とする。本発明の達成しようとする上記の目的、特徴及び利点をより分かりやすいようにするために、以下に、附図及び具体的な実施の形態に基づいて、本発明をより詳しく説明していく。
【００１８】
図１乃至４に示されるように、本発明の実施例の提供する消火用放水銃は、第一モーター部材、銃ヘッド部材及び銃芯部材を含む。そのうち、第一モーター部材は、第一ハウジング１３、第一ステーター部材、第一ローター部材及び中心軸３６を含む。第一ハウジング１３は、内部に空間を有し、第一ハウジング１３は、両端に、それぞれ、第一端蓋及び第二端蓋２を有する。図１を参照すると、第一端蓋は、第一ハウジング１３の左側に位置し、第一ハウジング１３と一体的に構造され、第二端蓋２は、第一ハウジング１３の右側に設置し、第一ネジ１及び第一ハウジング１３を介して接続される。第一ステーター部材は、第一ハウジング１３の空間内に設置され、第一ステーター部材の第一端が第二端蓋２に接続される。第一ローター部材は、同軸で、第一ステーター部材の外部に周設され、両者間に隙間を有し、第一ローター部材は、軸受けを介して、第一ハウジング１３に回転可能に接続される。第一ローター部材は、通電されていると、第一ステーター部材に対して回転する。中心軸３６は、その第一端が第一ステーター部材の第二端に接続される。
【００１９】
そのうち、銃ヘッド部材は、第一銃ヘッド１９及び第二銃ヘッド１６を含み、第一銃ヘッド１９及び第二銃ヘッド１６は、両方とも、構造が筒状とされる。第一銃ヘッド１９は、第一端蓋を通過して第一ステーター部材の第二端に接続される。第二銃ヘッド１６は、同軸で、第一銃ヘッド１９の外部に周設され、第二銃ヘッド１６の第一端が第一ローター部材にねじ接続される。第一銃ヘッド１９には、第二銃ヘッド１６の回転を防止するための第一回転防止装置が設けられ、第一ローター部材が回転すると、第二銃ヘッド１６が第一銃ヘッド１９の軸方向に変位するようにする。第一銃ヘッド１９の第二端及び第二銃ヘッド１６の第二端は、共に、テーパ状広がり口が設けられる。図１を参照すると、第一銃ヘッド１９のテーパ状広がり口と第二銃ヘッド１６のテーパ状広がり口との距離が比較的遠い場合には、消火用放水銃の噴出状態が柱状の形態になり、第一銃ヘッド１９のテーパ状広がり口と第二銃ヘッド１６のテーパ状広がり口との距離が比較的近い場合には、消火用放水銃の噴出状態が霧状の形態になる。第二端蓋２及び第一ステーター部材には、共に、水が流れる穴が設けられ、水が第二端蓋２及び第一ステーター部材を通過して銃ヘッド部材から噴出するようにする。図１を参照すると、第二端蓋２の右側は、外部の水源に接続されてもよい。
ここで、銃芯部材は、中心軸３６に設置され、銃ヘッド部材との嵌合により、水が銃ヘッド部材と銃芯部材との間の隙間から放水するようにする。
【００２０】
消火用放水銃の噴出状態を切り替えることが必要となる場合には、第一モーター部材には電気信号が入力され、第一ローター部材が第一ステーター部材に対して回転することから、第一ローター部材及び第二銃ヘッド１６がネジ接続されており、第一銃ヘッド１９における第一回転防止装置が第二銃ヘッド１６の回転を阻止するので、第一ローター部材が回転すると、第二銃ヘッド１６が第一銃ヘッド１９の軸方向に変位し、第二銃ヘッド１６の第二端のテーパ状広がり口及び第一銃ヘッド１９の第二端のテーパ状広がり口との距離を変え、噴出状態を切り替えることになる。
このように設置すると、消火用放水銃の噴出状態への切り替えが電気信号により制御され、切り替えをより簡便かつ迅速に行うことができると共に、第一銃ヘッド１９と第二銃ヘッド１６との間の距離が、第一ローター部材の回転数に従って正確に制御されることから、消火用放水銃の噴出状態を正確に制御することができ、そして、様々な作動環境のニーズに応じてエネルギーや資源を省く効果が図れる。
【００２１】
幾つかの実施例では、銃芯部材は、銃芯２１、第二モーター部材、ばね４０及び転動スリーブ２８を含む。第二モーター部材は、第二ステーター部材及び第二ローター部材を含む。第二ステーター部材は、中心軸３６の第二端に固定して設置され、第二ローター部材は、同軸で、第二ステーター部材の外部に周設され、両者間に隙間を有する。第二ローター部材は、軸受けを介して、中心軸３６に回転可能に接続される。通電されていると、第二ローター部材は、第二ステーター部材に対して回転する。転動スリーブ２８は、第二ローター部材の外部に周設され、第二ローター部材にねじ接続される。銃芯２１全体は、中心軸３６に周設され、銃芯２１の第一端が転動スリーブ２８の外部に周設され、銃芯２１には、転動スリーブ２８の回転を防止するための第二回転防止装置が設けられ、第二ローター部材が回転すると、転動スリーブ２８が軸方向に変位し、第二回転防止装置が移動するように連動することにより、第二回転防止装置は、銃芯２１が中心軸３６に変位するように連動する。ばね４０は、銃芯２１の内部に設置され、その一端が第二モーター部材に当接され、他端が銃芯２１の内壁に当接され、銃芯２１の外周壁には、第一銃ヘッド１９のテーパ状広がり口と嵌合するための弧形状嵌合部が設置され、弧形状嵌合部と第一銃ヘッド１９のテーパ状広がり口との嵌合により、第二端蓋２から給水された水を、弧形状嵌合部と第一銃ヘッド１９のテーパ状広がり口との間から吐水させるようにする。
【００２２】
このように設置すると、ばね４０による圧力により、銃芯２１が第一銃ヘッド１９のテーパ状広がり口に押し圧され、水圧の変化に伴い、ばね４０を圧縮して、銃芯２１の開口を適応的に自己制御することができ、それ以外に、操作者は、実際のニーズに応じて、積極的に消火用放水銃の噴出流量を制御することができる。例えば、噴出流量を拡大させたい場合には、第二モーター部材に電気信号を入力し、第二ローター部材を回転させ、第二ローター部材が転動スリーブ２８との間にねじ接続されると共に、銃芯２１に、転動スリーブ２８の回転を防止するための第二回転防止装置が設けられているので、第二ローター部材が回転すると、転動スリーブ２８が銃芯２１の軸方向に沿って、図１における左側へ変位し、第二回転防止装置が変位するように連動し、第二回転防止装置は、銃芯２１が左方向へ変位するように連動し、そして、銃芯２１と第一銃ヘッド１９との隙間が大きくなり、噴出流量が増大され、一方、流量を減少させたい場合には、逆に操作すればよい。そして、噴出流量への調節が簡単となり、しかも、消火用放水銃の噴出流量を正確に調節することができる。
【００２３】
図１を参照すると、幾つかの実施例では、第二ステーター部材は、中心軸３６に周設されるステーター固定環３３及びステーター固定環３３に設置される第二コイル３２を含む。コイルの巻き取りの方式は従来の技術に属するものであり、本明細書に大事なことではないことから、省略する。第二ローター部材は、第二ハウジング２９、及び、第二ハウジング２９内に設置され、第二コイル３２に対向して設置される第二永久磁石部３１を含む。第二コイル３２に電流が流れると、電気磁界が生じて、第二永久磁石部３１を付勢して、第二ローター部材が回転するようにする。第二ハウジング２９は、両端に、それぞれ、左端蓋３５及び右端蓋２６が設けられ、例えば、左端蓋３５は、第三軸受け３４を介して、回転可能に中心軸３６に取り付けられてもよく、右端蓋２６は、第四軸受け３９を介して、回転可能に中心軸３６に取り付けられてもよい。第二ハウジング２９は、外円周壁に、雄ねじが設置され、転動スリーブ２８は、内円周壁に当該雄ねじと嵌合する雌ねじが設けられる。図１を参照すると、左端蓋３５が第五ネジ３０を介して、第二ハウジング２９に、着脱可能に接続されてもよく、右端蓋２６は、第四ネジ２５を介して、第二ハウジング２９に着脱可能に接続されてもよい。
【００２４】
幾つかの実施例では、銃芯２１は、第一端に中心穴が設けられ、銃芯２１の第一端が中心穴を通過して転動スリーブ２８の外部に周設される。中心穴内には、阻止蓋２４が設けられ、阻止蓋２４は、中心軸３６に周設され、阻止蓋２４は、一端が第二モーター部材に当接され、他端がばね４０に当接され、阻止蓋２４と中心穴との間に密封リングが設けられる。図１を参照すると、具体的に、第二モーター部材は、さらに、第一スリーブ３７及び第二スリーブ３８を含み、中心軸３６には、位置付け台部が設置される。第一スリーブ３７及び第二スリーブ３８は、共に、中心軸３６に周設され、そのうち、第二スリーブ３８は、右端蓋２６とステーター固定環３３との間に設置され、第一スリーブ３７は、左端蓋３５とステーター固定環３３との間に設置され、しかも、第一スリーブ３７が中心軸３６にねじ接続され、ステーター固定環３３、第二スリーブ３８、右端蓋２６軸受けの内輪及び阻止蓋２４を、中心軸３６の位置付け台部に押止する。阻止蓋２４と中心穴との間には、密封リングが設けられることにより、銃芯２１の第二端からの水が第二モーター部材内に入るのを防ぐことができる。好ましくは、阻止蓋２４と中心穴との間の密封リングは、第四密封リング２２及び第五密封リング２３を含んでもよい。
【００２５】
幾つかの実施例では、第二回転防止装置は、銃芯２１に設置される第二位置付けネジ２７を含み、第二位置付けネジ２７が銃芯２１にねじ接続され、転動スリーブ２８の周側壁には、第二位置付けネジ２７が螺合する位置付け穴が設けられ、第二位置付けネジ２７は、銃芯２１の側壁を通過して位置付け穴に螺合される。図３に示されるように、選択的に、位置付け穴が腰形状の穴とされ、腰形状の穴が転動スリーブ２８の軸方向に延びられる。第二ハウジング２９は、回転する場合に、転動スリーブ２８と螺合され、転動スリーブ２８は、第二位置付けネジ２７による位置制限作用により回転できず、軸方向にしか変位できず、位置付け穴により、同時に、第二位置付けネジ２７が変位するように駆動し、第二位置付けネジ２７は、銃芯２１が軸方向に変位するように連動する。銃芯２１の回転を防ぐためには、銃芯２１が中心軸３６に滑りキーを介して接続されてもよい。
【００２６】
図１及び図４を参照すると、幾つかの実施例では、第一ステーター部材は、第二端蓋２にねじ接続される流量調整手段９及び流量調整手段９の外部に取り付けられる第一コイル８を含む。例えば、流量調整手段９は、第一端に雄ねじが設けられ、第二端蓋２には、該雄ねじと嵌合する雌ねじが設けられる。図４を参照すると、流量調整手段９の中央部には、水が流れる複数の水流通路が設けられる。第一ローターは、第一ハウジング１３に、軸受けを介して、回転可能に接続されるローター固定環６及びローター固定環６に設置され、第一コイル８と対向して設置される第一永久磁石部７を含み、第一コイル８に電流が流れると、磁界が生じ、第一永久磁石部７を、回転させるように、付勢する。例えば、ローター固定環６は、環体、及び、当該環体の両端にそれぞれ設置される第一支持環５及び第二支持環１１を含み、第一支持環５が第二ネジ４を介して環体に接続され、第二支持環１１が第三ネジ１０を介して環体に接続されてもよい。しかも、第一支持環５は、第一軸受け３を介して、第一ハウジング１３に回転可能に接続され、第二支持環１１は、第二軸受け１２を介して、第一ハウジング１３に、回転可能に接続されてもよい。
【００２７】
幾つかの実施例では、第二銃ヘッド１６は、第二端の外円周側壁に、雄ねじが設けられ、第一端蓋には、ローター固定環６の第二支持環１１が延びられる退避穴が設けられ、第二支持環１１における第一端蓋に近い一端には、雄ねじと嵌合する雌ねじが設けられ、第二銃ヘッド１６は、ローター固定環６の内部に螺合される。第一ローター部材は、回転する場合に、第二支持環１１と第二銃ヘッド１６との間のネジ同士が螺合し合い、第二銃ヘッド１６が変位するように駆動する。幾つかの実施例では、ローター固定環６の第二支持環１１と退避穴との間には、密封リングが設けられる。当該密封リングについては、図１に示す第二密封リング１５を参照するとよい。そうすると、水が第二モーター部材内に入ることが防止され得る。
【００２８】
幾つかの実施例では、第一銃ヘッド１９は、接続スリーブ１７を介して、流量調整手段９に接続され、接続スリーブ１７は、一端が第一銃ヘッド１９にねじ接続され、他端が流量調整手段９にねじ接続される。接続スリーブ１７とローター固定環６の第二支持環１１との間には、密封リングが設けられ、例えば、図１に示す第一密封リング１４を参照するとよい。第一銃ヘッド１９と第二銃ヘッド１６との間には、密封リングが設けられ、例えば、図１に示す第三密封リング２０を参照するとよい。そうすると、水が第二モーター部材内に入ることが防止され得る。
【００２９】
幾つかの実施例では、第一回転防止装置は、第一銃ヘッド１９の外円周側壁にねじ接続される第一位置付けネジ１８を含み、第二銃ヘッド１６には、第一位置付けネジ１８が螺合して滑られるための滑り溝が設けられ、滑り溝は、第二銃ヘッド１６の軸方向に延びられる。このように設置すると、第一ローター部材が回転すると、第二銃ヘッド１６とネジ嵌合され、第一位置付けネジ１８が第二銃ヘッド１６の回転を制限することから、第二銃ヘッド１６が軸方向にしか変位できないことになる。
【００３０】
幾つかの実施例では、中心軸３６は、接続環４１を介して、流量調整手段９に接続される。例えば、接続環４１は、流量調整手段９にねじ接続され、中心軸３６が接続環４１にねじ接続され、銃芯２１の第二端が接続環４１に周設される。
【００３１】
本明細書には、具体的な例に基づいて、本発明の原理及び実施の形態を説明したが、以上の実施例に対する説明は、本発明の方法及びその肝心な思想を理解することに役立ちものに過ぎず、それに伴い、当業者にとって、本発明の思想に従って、具体的な実施形態及び適用範囲において変更され得る。故に、本明細書に記載されている内容は、本発明を限定するものとして理解されるべきではない。
【符号の説明】
【００３２】
１    第一ネジ
２    第二端蓋
３    第一軸受け
４    第二ネジ
５    第一支持環
６    ローター固定環
７    第一永久磁石部
８    第一コイル
９    流量調整手段
１０    第三ネジ
１１    第二支持環
１２    第二軸受け
１３    第一ハウジング
１４    第一密封リング
１５    第二密封リング
１６    第二銃ヘッド
１７    接続スリーブ
１８    第一位置付けネジ
１９    第一銃ヘッド
２０    第三密封リング
２１    銃芯
２２    第四密封リング
２３    第五密封リング
２４    阻止蓋
２５    第四ネジ
２６    右端蓋
２７    第二位置付けネジ
２８    転動スリーブ
２９    第二ハウジング
３０    第五ネジ
３１    第二永久磁石部
３２    第二コイル
３３    ステーター固定環
３４    第三軸受け
３５    左端蓋
３６    中心軸
３７    第一スリーブ
３８    第二スリーブ
３９    第四軸受け
４０    ばね
４１    接続環
【要約】
【課題】電気信号により噴出状態を正確に制御でき、噴出状態への切り替えが簡便かつ迅速に制御される消火用放水銃を提供する。
【解決手段】本発明の一実施例による消火用放水銃は、第一ハウジング、第一ステーター部材、第一ローター部材及び中心軸を含み、第一ハウジングは、両端に、それぞれ、第一端蓋及び第二端蓋が設けられ、第一ステーター部材の第一端が第二端蓋に接続され、第一ローター部材は、第一ステーター部材の外部に周設され、第一ローター部材は、第一ハウジングに回転可能に接続される、第一モーター部材と、第一銃ヘッド及び第二銃ヘッドを含み、第一銃ヘッドが第一ステーター部材に接続され、第二銃ヘッドは、第一銃ヘッド外部に周設され、第二銃ヘッドは、第一ローター部材にねじ接続され、第一銃ヘッドには、第一回転防止装置が設けられる、銃ヘッド部材と、中心軸に設置され、銃ヘッド部材と嵌合する、銃芯部材とを含む。
【選択図】図１【図１】
0006900096.tif 000002
【図２】
0006900096.tif 000003
【図３】
0006900096.tif 000004
【図４】
0006900096.tif 000005